(57)【要約】【課題】貯蔵庫の開閉扉ヒンジの取付部分の増強を図る。【解決手段】開閉扉を備えた断熱箱体の開口部の隅部を構成する横パネルおよび縦パネルを備えた貯蔵庫において、横パネルおよび縦パネルの端部を各々内側に縦面と横面を形成して屈曲部を備え、各々の屈曲部の縦面を対向して接触させるとともに、屈曲部の各々の横面を固着手段にて、取付板を介して固着させたことにより、取付板と屈曲部の横面を、同じ方向から、固着できるので、作業性が良くなる。また、取付板と開閉扉を支持するヒンジ機構とを固着手段にて固着させたことにより、開閉扉を支持するヒンジ機構を取付強度を向上させて固着させることができる。【選択図】図３
2004003714.tif 000002
【特許請求の範囲】
【請求項１】
開閉扉を備えた断熱箱体の開口部の隅部を構成する横パネルおよび縦パネルを備えた貯蔵庫において、前記横パネルおよび縦パネルの端部を各々内側に縦面と横面を形成して屈曲部を備え、前記各々の屈曲部の縦面を対向して接触させるとともに、前記屈曲部の各々の横面を固着手段にて、取付板を介して固着させたことを特徴とする貯蔵庫。
【請求項２】
前記取付板と前記開閉扉を支持するプレートとを固着手段にて固着させたことを特徴とする請求項１記載の貯蔵庫。
【請求項３】
前記取付板上にコードヒータ等のコードを添って備えたことを特徴とする請求項１または２記載の貯蔵庫。
【発明の詳細な説明】
【０００１】
【発明の属する技術分野】
本発明は冷却貯蔵庫等の貯蔵庫に備わる開閉扉部のパネル連結構造に関するものである。
【０００２】
【従来の技術】
冷却貯蔵庫等の貯蔵庫の開閉扉を備えるステンレス製の横パネル、縦パネルの連結部分における従来の技術は、図７の貯蔵庫の要部平面断面図に示すように、断熱箱の前面に形成された開口部における横パネル２２および縦パネル２１に、ヒンジピン１９が突設されたヒンジプレート１８に取付部１７を取り付け、この取付部１７を横パネル２２および縦パネル２１裏面に取付板３５を備えて、ネジ３４で取り付けて、ヒンジ機構１６として備えていた。
また、このヒンジピン１９は、図示しない開閉扉の上下に設けられた軸受孔に嵌合することで、開閉扉を回動可能に支持している箇所である。
【０００３】
【発明が解決しようとする課題】
ところで近年、冷却貯蔵庫は次第に大型化する傾向にあり、それに伴い開閉扉自体も大型となって重量が重くなり、貯蔵庫本体に取り付けた開閉扉を支持するヒンジプレートを備えた部分に過大な荷重が掛かるおそれがあり、その対策として取付板３５を備えているだけでは弱く、さらなる補強構造がは必要になってきた。
本発明は上記のような事情に基づいてなされたものであって、その目的は貯蔵庫のヒンジプレートの取付部分である横パネル、縦パネルの連結部分の強度の向上を図るとともに、強度向上のために手数を要する構造にすることなく、連結部分の作業性の向上を図ることを目的にしている。
【０００４】
【課題を解決するための手段】
上記の目的を達成する手段として、請求項１の発明に係る貯蔵庫は、開閉扉を備えた断熱箱体の開口部の隅部を構成する横パネルおよび縦パネルを備えた貯蔵庫において、前記横パネルおよび縦パネルの端部を各々内側に縦面と横面を形成して屈曲部を備え、前記各々の屈曲部の縦面を対向して接触させるとともに、前記屈曲部の各々の横面を固着手段にて、取付板を介して固着させたことを特徴としている。
また、請求項２の発明に係る貯蔵庫は、請求項１記載の貯蔵庫において、前記取付板と前記開閉扉を支持するプレートとを固着手段にて固着させたことを特徴としている。
また、請求項３の発明に係わる貯蔵庫は、請求項１または２記載の貯蔵庫において、前記取付板上にコードヒータ等のコードを添って備えたことを特徴としている。
【０００５】
【発明の効果】
開閉扉を備えた断熱箱体の開口部の隅部を構成する横パネルおよび縦パネルを備えた貯蔵庫において、横パネルおよび縦パネルの端部を各々内側に縦面と横面を形成して屈曲部を備え、各々の屈曲部の縦面を対向して接触させるとともに、屈曲部の各々の横面を固着手段にて、取付板を介して固着させたことにより、取付板と屈曲部の横面を、同じ方向から、固着できるので、作業性が良くなる。
また、請求項２の発明に係る貯蔵庫は、請求項１記載の貯蔵庫において、前記取付板と前記開閉扉を支持するプレートとを固着手段にて固着させたことにより、請求項１記載の貯蔵庫における効果の上に、さらに、開閉扉を支持するヒンジプレートを取付強度を向上させて固着させることができた。
また、請求項３の発明に係わる貯蔵庫は、請求項１または２記載の貯蔵庫において、取付板上に結露蒸発等の加熱手段を添って備えたことにより、請求項１または２記載の貯蔵庫における効果の上、さらに、コードの取付板への配置作業が容易になった。
【０００６】
【発明の実施の形態】
以下、本発明の一実施形態を図１ないし図５に基づいて説明する。本実施形態の冷却貯蔵庫は、図１に示すように、本体１が前面開口された断熱箱体から形成され、底面の四隅は脚２によって支持されており、断熱箱体の内部は貯蔵物を収納する貯蔵室３として構成されている。
本体１の天井部上には機械室１０が設けられ、その機械室１０には圧縮機１２、凝縮器１３等からなる冷凍ユニット１１が設置されて、貯蔵室３の天井部等に配された冷却器（図示せず）と冷媒配管で接続されている。
前面の開口部４には十字形をなす仕切枠５が設けられ、上下左右に合計４個の開口部４が形成されており、各開口部４に、観音開き式にハンドル９を備えた開閉扉６が装着されている。
そして、冷凍ユニット１１の運転により、貯蔵室３内を所定の冷却温度に維持するとともに、貯蔵室３内に配された棚網１５上に載置した貯蔵物を、冷却保存している。
【０００７】
開閉扉６は、それぞれヒンジ機構１６を介して本体１に支持されており、このヒンジ機構１６は、図２に示すように、本体１側に取り付けられる挿通孔２０を備えた取付部１７と開閉扉６の上下を軸支しているヒンジピン１９、１９を上下に固着させるピン孔３０を備えたヒンジプレート１８によって構成されている。
本体１の左側の縦パネル２１、横パネル２２との連結部２８は、図３に示すように、外箱７を構成している縦パネル２１の前面側の端部を屈曲部２４として形成されている。この屈曲部２４は、内方に直角曲げした縦面２５と、さらに先端を奥方に直角曲げして前面側と平行に備えた形状である横面２６により構成されている。
この縦パネル２１の屈曲部２４に対向する形で、横方向の仕切枠５である横パネル２２が配されている。この横パネル２２の縦パネル２１と対向している前面側の端部は、縦パネル２１の屈曲部２４と同じように、内方に直角曲げして縦面２５とし、さらに先端を奥方に直角曲げして前面側と平行に備えた形状である横面２６とした屈曲部２４として、縦パネル２１の屈曲部２４に突き合わされ密接されている。
なお、内箱８の前縁が上記した屈曲部２４との間に所定間隔を開けて対応しており、その間隔を覆うようにして化粧枠２３が嵌められることにより、内箱８と外箱７を連結させ、開口部４の左側面が形成させている。
【０００８】
また、縦パネル２１と横パネル２２の連結部２８には、互いに連結させる取付板２７が配されており、この取付板２７は、一体のステンレス製等の板金で成形され、本体の中央がコ字状に曲げられ、両端が平板状に形成されており、縦パネル２１と横パネル２２の裏面に密接させる形でそれぞれ当てられるようになっている。
また、横パネル２２および縦パネル２１の屈曲部２４、２４には、図４に示す図３のＡ矢印から見た図（要部背面図）のように、縦パネル２１と横パネル２２の横面２６、２６に、それぞれ２個のリベット孔３２を備えている。
また、取付板２７には、図５（図３のＡ矢印から見た図）に示すように、縦パネル２１と横パネル２２のそれぞれの横面２６、２６のリベット孔３２、３２と同じ位置になるようにリベット孔３２を４個所備え、断熱材が充填される前に、各々の屈曲部２４の縦面２５を対向して接触させるとともに、取付板２４を縦パネル２１と横パネル２２の裏面に当てて、リベット３３等の固着手段により、取付板２４とともに、同じ方向から縦パネル２１と横パネル２２のそれぞれの横面２６、２６に固定されている。
このため、縦パネル２１と横パネル２２の連結部２８の強度を向上させるとともに、同じ方向から、縦パネル２１と横パネル２２のそれぞれの横面２６、２６を取付板２７とともに固着できるので、作業性が良くなった。
【０００９】
また、上記の構造により、この取付板２７は、図３に示すように、縦パネル２１と横パネル２２の表側から、ヒンジ機構１６の取付部１７を、取付板２７の配された部分の前面に当てられ、取付部１９の挿通孔２０に通したネジ３４を取付板２７のネジ孔３１に螺合して締め付けることによって、取付部１７が水平となった姿勢で縦パネル２１と横パネル２２に取り付けられている。
なお、開口部４の四隅や、仕切枠５の右側の端部と右側の縦パネル２１とが交差する部分でも、ヒンジ機構１６（ヒンジピン１９は、開口部４の上部隅部は下側に、下部隅部は上側に、仕切枠５両端に備えられている）は、同様に配された取付板２７を介して取り付けられている。
【００１０】
以上説明したように本実施形態によれば、横パネル２２および縦パネル２１の端部を各々内側に縦面２５と横面２６を形成して屈曲部２４を備え、各々の屈曲部２４の縦面２５を対向して接触させるとともに、屈曲部２４の各々の横面２６を固着手段にて、取付板２７を介して固着させたことにより、取付板２７と屈曲部の横面２６を、同じ方向から、横パネル２２および縦パネル２１に固着できるので、作業性が良くなる。
また、本体１側のヒンジ機構１６を、縦パネル２１と横パネル２２とにわたって配された取付板２７をそれぞれにネジ３４で固定しているから、開閉扉６を介してヒンジ機構１６に荷重が加わった場合に、縦パネル２１側と、横パネル２２側とに分散され、また、屈曲部２４により荷重に対する強度が増しており、より強固な取付構造となる。
また、取付板２７自体も、連結部２８が縦パネル２１の屈曲部２２を挟んだ状態でリベット３３により固定されているから、縦パネル２１と横パネル２２である本体１に対して強固に固定できる。
また、開口部４の隅部に取付板２７が配されていることで、隅部分が補強され、本体１のよじれやねじれに対しても強い構造となる。
【００１１】
続いて、本発明の第２実施形態を説明する。本発明の第２実施形態は、図６に示すように、縦パネル２１と横パネル２２の屈曲部２４、２４に取付板２７を固着させることは、第１実施形態と同じであるが、屈曲部２４、２４に取付板２７を固着させた後で、縦パネル２１と横パネル２２の表面側に付いた結露を蒸発させるコードヒータ２９等のコードを取付板２７上に添って備えている。
このコードヒータ２９を縦パネル２１と横パネル２２の裏面側にテープ等で貼り付けた後、外箱内箱内に発泡断熱材を注入して断熱箱体を形成している。
上記の縦パネル２１と横パネル２２の屈曲部の横面２６、２６が、水平状態になっていることにより、コードヒータ２９の端面保護の対応は不要になり、コードヒータ２９の配置作業が簡単になる。
【００１２】
なお、本発明は上記説明した実施形態に限定されるものではなく、冷却貯蔵庫以外にも、冷凍冷却貯蔵庫、温蔵庫、恒温高湿庫等のヒンジ機構を備えた貯蔵庫の開閉扉装置全般に広く適用することが可能である。
また、本発明の第２実施形態は、コードヒータの替わりに電気配線等のコードを備えても、同様な効果を達成できる。
さらに、上記以外にも要旨を逸脱しない範囲内で種々変更して実施することができる。
【図面の簡単な説明】
【図１】本発明の貯蔵庫の斜視図
【図２】本発明の貯蔵庫のヒンジ機構の分解斜視図
【図３】本発明の貯蔵庫パネル連結構造の平面要部断面図
【図４】本発明の貯蔵庫パネル連結構造の要部背面図
【図５】本発明の貯蔵庫パネル連結構造の取付板を備えた要部平面図
【図６】本発明の第２実施形態の平面要部断面図
【図７】従来の貯蔵庫パネル連結構造の平面要部断面図
【符号の説明】
１…本体
２…脚
３…貯蔵室
４…開口部
５…仕切枠
６…開閉扉
７…外箱
８…内箱
９…ハンドル
１０…機械室
１１…冷凍ユニット
１２…圧縮機
１３…凝縮器
１５…棚網
１６…ヒンジ機構
１７…取付部
１８…ヒンジプレート
１９…ヒンジピン
２０…挿通孔
２１…縦パネル
２２…横パネル
２３…化粧枠
２４…屈曲部
２５…縦面
２６…横面
２７…取付板
２８…連結部
２９…コードヒータ
３０…ピン孔
３１…ネジ孔
３２…リベット孔
３３…リベット
３４…ネジ
３５…取付板
【図１】
2004003714.tif 000003
【図２】
2004003714.tif 000004
【図３】
2004003714.tif 000005
【図４】
2004003714.tif 000006
【図５】
2004003714.tif 000007
【図６】
2004003714.tif 000008
【図７】
2004003714.tif 000009